(57)【要約】      （修正有）【課題】自分で自身の歯を観察しながら歯磨きでき、歯及び口内の状態は無線端末で写真保存でき、無線端末から簡単に歯医など保健機関へ送信できて、健康アドバイスを貰え、また、保存した写真より歯清掃の効果は自分自身検証でき、歯磨き方法を改善できるカメラ付き歯清掃具を提供する。【解決手段】口内を撮影する為に、イメージセンサ１とＬＥＤ発光素子２がブラシヘッド５内部の非交換部或いはブラシヘッド５の反対側底部に設置され、外部無線端末７に接続する為の無線モジュールが歯清掃具の内部に設置された事を特徴とする。前記イメージセンサ１の信号を無線信号へ変換できる処理回路４を有し、口内を撮影する補正手段の前記ＬＥＤ発光素子２の発光量を調整できる処理回路３を有する。【選択図】図１
0003203253.tif 000002
【実用新案登録請求の範囲】
【請求項１】
口内を撮影する為に、カメラ撮像素子とＬＥＤ発光素子を搭載され、ブラシ部が交換出来る構造を持ち、カメラ映像を外部無線技術搭載した端末に送信する為の無線モジュールを搭載した事を特徴とするカメラ付き歯清掃具。
【請求項２】
前記口内を撮影する手段からの映像信号を無線信号へ変換する処理回路を有することを特徴とする請求項１の歯清掃具。
【請求項３】
前記口内を撮影する補正手段のＬＥＤ発光素子が発光量を調整できる回路を有することを特徴とする請求項１の歯清掃具。
【請求項４】
前記歯清掃具は無線で外部端末へ口内の映像信号を送信できる事と、外部端末から撮像素子と発光素子のコントロール信号を受送信できる事を特徴とする請求項１の歯清掃具。
【考案の詳細な説明】
【技術分野】
【０００１】      本発明は、家庭及び医療用歯清掃具に関する。本発明は、歯清掃時にスマートフォンなどＷｉ−Ｆｉ、Ｂｌｕｅｔｏｏｔｈ無線技術搭載端末に口内の映像情報を転送して、観察しながら効率的歯磨きが出来る歯清掃具がある。
【背景技術】
【０００２】      従来の歯磨きは、歯を磨くべき個所を想定して磨くである。そこで、無線技術進歩よりスマートフォンなど無線端末で、口内の映像を観察しながら効率的歯磨きが出来ることになった。
【先行技術文献】
【特許文献】
【０００３】
【特許文献１】特開２００１−１７００８４号広報
【特許文献２】特開２００１−２１８６２４号広報
【特許文献３】特開２０１１−１９４１８１号広報
【考案の概要】
【考案が解決しようとする課題】
【０００４】      従来歯磨きは、操作者自身が歯の汚れを目で確認できずので、汚れや歯垢の磨き残しが生じた。そこで、特開２０１１−１９４１８１号「カメラ付き歯ブラシ」では磨く場所を観察しながら歯を磨く方法を採用しているが、しかし、カメラ映像を外部モニターに送信する為のケーブルを設置した事である。ケーブルの長さを考慮して、操作者の使用上に大変不便、またはケーブルと外部モニターなど関連部材使用して汎用性も低下、製造コストも高く課題がある。【０００５】      従来の構成物は、発光素子の明るさ調節できず、撮像素子の拡大レンズが無くマクロ撮影できず、歯の汚れの識別を困難であり、また、カメラ撮像素子など弱い電子部品は先端部に設置して衝撃耐性も悪い課題がある。
【課題を解決するための手段】
【０００６】      そして、本発明は上記課題を解決するために、歯清掃具にカメラ映像信号を無線信号へ変換する処理回路を搭載して、外部汎用無線技術搭載した端末に受送信できる。外部端末（例：スマートフォン、タブレットなど）は汎用無線技術（例：Ｗｉ−Ｆｉ、Ｂｌｕｅｔｏｏｔｈなど）で歯清掃具から映像信号を受信して再生すること。【０００７】      または、第２の課題解決手段は、ＬＥＤ発光素子が発光量を調整できる回路を搭載して、拡大レンズを追加し、さらに歯清掃具のブラシヘッド部の構造を改良にして、カメラ撮像素子など電子部品の衝撃耐性が向上した。
【考案の効果】
【０００８】      以上に説明したように、本発明では、歯清掃具にカメラと照明がついているので、自分で自身の歯を観察しながら歯磨きできる。また、歯及び口内の状態は無線端末で写真保存できる、無線端末から簡単に歯医など保健機関へ送信できて、健康アドバイスを貰える。また、保存した写真より歯清掃の効果は自分自身検証（比較）でき、歯磨き方法を改善できる。従って、口内の健康を維持することできる。
【図面の簡単な説明】
【０００９】
【図１】本発明の実施の形態を示す図である。
【図２】本発明の実施の形態の歯清掃具のカメラ及び発光素子の配列例の図である。
【考案を実施するための形態】
【００１０】      本発明の実施の形態は図面を参照して説明する。
【００１１】      図においては、２発光素子の補正で、１拡大レンズでカメラ撮像素子は口内の映像を取得して、４処理回路で映像から無線信号へ変換してアンテナから、７無線搭載端末へ送信する。
【符号の説明】
【００１２】１  カメラと拡大レンズ
２  発光素子と拡散レンズ
３  発光量の調整回路
４  映像から無線信号への処理回路とアンテナ
５  交換できるブラシヘッド
６  握り部
７  無線搭載端末
８  ブラシ取付軸
９  ＯＮ／ＯＦＦスイッチ
１０  無線と発光素子のＯＮ／ＯＦＦスイッチ（兼  発光量の調整スイッチ）
１１  カメラの透過窓
１２  発光素子の透過窓
【図１】
0003203253.tif 000003
【図２】
0003203253.tif 000004
【手続補正書】
【提出日】平成27年8月17日(2015.8.17)
【手続補正１】
【補正対象書類名】実用新案登録請求の範囲
【補正対象項目名】全文
【補正方法】変更
【補正の内容】
【実用新案登録請求の範囲】
【請求項１】
口内を撮影する為に、イメージセンサとＬＥＤ発光素子がブラシヘッド内部の非交換部或いはブラシヘッドの反対側底部に設置され、ブラシヘッド部が交換出来る構造を持ち、外部無線技術搭載した端末に接続する為の無線モジュールを搭載した事を特徴とするカメラ付き歯清掃具。
【請求項２】
前記請求項１のイメージセンサの信号を無線信号へ変換できる処理回路を有することを特徴とするカメラ付き歯清掃具。
【請求項３】
前記請求項１の口内を撮影する補正手段のＬＥＤ発光素子が発光量を調整できる処理回路を有することを特徴とするカメラ付き歯清掃具。
【請求項４】
前記歯清掃具は無線で外部端末と接続出来て、外部端末とイメージセンサ及びＬＥＤ発光素子のコントロール信号及び関連信号を受送信できる事を特徴とする請求項１の歯清掃具。
【手続補正２】
【補正対象書類名】明細書
【補正対象項目名】００１１
【補正方法】変更
【補正の内容】
【００１１】      図においては、２発光素子の補正で、１拡大レンズでイメージセンサは口内の映像を取得して、４処理回路で無線信号へ変換してアンテナから受送信、７無線搭載端末と接続する。
【手続補正４】
【補正対象書類名】図面
【補正対象項目名】図３
【補正方法】追加
【補正の内容】
【図３】
0003203253.tif 000005
【手続補正書】
【提出日】平成27年9月24日(2015.9.24)
【手続補正１】
【補正対象書類名】実用新案登録請求の範囲
【補正対象項目名】全文
【補正方法】変更
【補正の内容】
【実用新案登録請求の範囲】
【請求項１】
口内を撮影する為に、イメージセンサとＬＥＤ発光素子がブラシヘッド内部の非交換部或いはブラシヘッドの反対側底部に設置され、外部無線端末に接続する為の無線モジュールが歯清掃具の内部に設置された事を特徴とするカメラ付き歯清掃具。
【請求項２】
前記請求項１のイメージセンサの信号を無線信号へ変換できる処理回路を有することを特徴とするカメラ付き歯清掃具。
【請求項３】
前記請求項１の口内を撮影する為のＬＥＤ発光素子の発光量を調整できる処理回路を有することを特徴とするカメラ付き歯清掃具。
【請求項４】
前記請求項１の無線モジュールが、無線で外部無線端末へ口内の映像を送信する手段と無線で外部無線端末からイメージセンサ及びＬＥＤ発光素子のコントロール信号を送受信する手段の独立的な信号処理モジュールであり、また前記請求項２と前記請求項３の処理回路の信号と外部無線端末の信号を処理する手段の重要構成部分を有することを特徴とするカメラ付き歯清掃具。
【手続補正書】
【提出日】平成28年1月3日(2016.1.3)
【手続補正１】
【補正対象書類名】実用新案登録請求の範囲
【補正対象項目名】全文
【補正方法】変更
【補正の内容】
【実用新案登録請求の範囲】
【請求項１】
口内を撮影する為に、イメージセンサとＬＥＤ発光素子がブラシヘッド内部の非交換部或いはブラシヘッドの反対側底部に設置され、外部無線端末に接続する為の無線モジュールが歯清掃具の内部に設置された事を特徴とするカメラ付き歯清掃具。
【請求項２】
前記イメージセンサの信号を無線信号へ変換できる処理回路を有することを特徴とする、請求項１に記載のカメラ付き歯清掃具。
【請求項３】
口内を撮影する補正手段の前記ＬＥＤ発光素子の発光量を調整できる処理回路を有することを特徴とする、請求項１に記載のカメラ付き歯清掃具。
【請求項４】
前記無線モジュールが、無線で外部無線端末へ口内の映像を送信する手段と無線で外部無線端末からイメージセンサ及びＬＥＤ発光素子のコントロール信号を送受信する手段を有する独立的な信号処理モジュールであり、また前記処理回路の信号と外部無線端末の信号を処理する手段の重要構成部分を有することを特徴とする、請求項２又は３に記載のカメラ付き歯清掃具。